(57)【要約】【課題】光学ズームと電子ズームの組み合わせを含む電子ズームモードを複数用意することで、様々な用途に応じたズーム倍率の選択を行える装置を提供する。【解決手段】光学ズーム位置を変更せずに電子ズーム倍率を変更可能にする第１ズームモード（Ｓ２０１のＯＮ）と、電子ズーム倍率を固定して光学ズーム位置を変更可能にする第２ズームモード（Ｓ２０２のＯＮ）とを有し、前記第１ズームモードと前記第２ズームモードとを選択する選択手段（Ｓ２０１，Ｓ２０２）と、前記選択手段の選択結果に応じて電子ズーム駆動制御を行う制御手段（Ｓ２１０，Ｓ２１２，Ｓ２１３）とを有する。【選択図】図２
2008042296.tif 000002
【特許請求の範囲】
【請求項１】
光学ズーム位置を変更せずに電子ズーム倍率を変更可能にする第１ズームモードと、電子ズーム倍率を固定して光学ズーム位置を変更可能にする第２ズームモードとを有し、
前記第１ズームモードと前記第２ズームモードとを選択する選択手段と、
前記選択手段の選択結果に応じて電子ズーム駆動制御を行う制御手段とを有することを特徴とするズーム装置。
【請求項２】
前記第２ズームモードにおいて固定されうる電子ズーム倍率は、複数あることを特徴とする請求項１に記載のズーム装置。
【請求項３】
前記第２ズームモードにおいて固定される電子ズーム倍率は、前記第１ズームモードにおける電子ズーム倍率の範囲内に含まれることを特徴とする請求項１または２に記載のズーム装置。
【請求項４】
前記第１ズームモードにおいては、光学ズーム倍率に電子ズーム倍率を組み合わせて、連続してズーム倍率を変更可能であることを特徴とする請求項１ないし３のいずれかに記載のズーム装置。
【請求項５】
前記制御手段は、前記第１ズームモードが設定されている場合は、前記第２ズームモードを無効にし、前記第２ズームモードが設定されている場合は、前記第１ズームモードを無効にすることを特徴とする請求項１ないし４のいずれかに記載のズーム装置。
【請求項６】
前記制御手段は、前記第１ズームモードと前記第２ズームモードのいずれもが無効である場合、電子ズームは行わずに光学ズームを行わせることを特徴とする請求項１ないし５のいずれかに記載のズーム装置。
【請求項７】
請求項１ないし６のいずれかに記載のズーム装置と、当該ズーム装置によりズームされた画像を記録可能な記録手段とを有することを特徴とする記録装置。
【請求項８】
光学ズーム位置を変更せずに電子ズーム倍率を変更可能にする第１ズームモードと、電子ズーム倍率を固定して光学ズーム位置を変更可能にする第２ズームモードとを有し、
前記第１ズームモードと前記第２ズームモードとを選択する選択ステップと、
前記選択ステップでの選択結果に応じて電子ズーム駆動制御を行う制御ステップとを有することを特徴とするズーム装置の制御方法。
【発明の詳細な説明】
【技術分野】
【０００１】
本発明は、デジタルカメラ等に好適なズーム装置、記録装置およびズーム装置の制御方法に関するものである。
【背景技術】
【０００２】
近年、多機能、高機能化が進むデジタルカメラにおいては、コンパクトで携帯しやすく、かつ、高倍率ズーム機能が求められている。しかし、光学的に高倍率を実現するにはコンパクト化の限界があり、電子ズームを活用して高倍率を実現する必要がある。そこで、特許文献１では、電子ズーム装置による固定された拡大率の切り換え時に、該電子ズーム装置の倍率変化を相殺すべく光学ズーム装置を調節する調節手段を具備したカメラが提案されている。
【特許文献１】特開平５−１３０４７８号公報
【発明の開示】
【発明が解決しようとする課題】
【０００３】
上記のように、カメラのコンパクト化、高倍率化を実現するには、光学ズームと電子ズームを組み合わせることが必要である。しかしながら、従来においては、様々な撮影シーンに応じて複数の中から適切な電子ズームモードの切り換えを行うことを可能にする技術は提案されていなかった。
【０００４】
（発明の目的）
本発明の目的は、光学ズームと電子ズームの組み合わせを含む電子ズームモードを複数用意することで、様々な用途に応じたズーム倍率の選択を行うことのできるズーム装置、記録装置およびズーム装置の制御方法を提供しようとするものである。
【課題を解決するための手段】
【０００５】
上記目的を達成するために、本発明は、光学ズーム位置を変更せずに電子ズーム倍率を変更可能にする第１ズームモードと、電子ズーム倍率を固定して光学ズーム位置を変更可能にする第２ズームモードとを有し、前記第１ズームモードと前記第２ズームモードとを選択する選択手段と、前記選択手段の選択結果に応じて電子ズーム駆動制御を行う制御手段とを有するズーム装置とするものである。
【０００６】
同じく上記目的を達成するために、本発明は、本発明の上記ズーム装置と、当該ズーム装置によりズームされた画像を記録可能な記録手段とを有する記録装置とするものである。
【０００７】
同じく上記目的を達成するために、本発明は、光学ズーム位置を変更せずに電子ズーム倍率を変更可能にする第１ズームモードと、電子ズーム倍率を固定して光学ズーム位置を変更可能にする第２ズームモードとを有し、前記第１ズームモードと前記第２ズームモードとを選択する選択ステップと、前記選択ステップでの選択結果に応じて電子ズーム駆動制御を行う制御ステップとを有するズーム装置の制御方法とするものである。
【発明の効果】
【０００８】
本発明によれば、光学ズームと電子ズームの組み合わせを含む電子ズームモードを複数用意することで、様々な用途に応じたズーム倍率の選択を行うことのできるズーム装置、記録装置またはズーム装置の制御方法を提供できるものである。
【発明を実施するための最良の形態】
【０００９】
本発明を実施するための最良の形態は、以下の実施例に示す通りである。
【実施例】
【００１０】
図1は本発明の一実施例に係るデジタルカメラ等の撮像装置の回路構成を示すブロック図である。１００は撮像装置であり、以下の各構成部品を具備している。１０は撮影レンズ、１２は絞り機能を備えるシャッタ、１４は光学像を電気信号に変換する撮像素子、１６は撮像素子１４のアナログ信号出力をデジタル信号に変換するＡ／Ｄ変換器である。１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１１】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御部４０、測距制御部４２に対して制御を行う。つまり、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１２】
２２はメモリ制御回路であり、Ａ／Ｄ変換器１６、タイミング発生回路１８、画像処理回路２０、および、後述の、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いは、Ａ／Ｄ変換器１６のデータが直接メモリ制御回路２２を介して、画像表示メモリ２４或いはメモリ３０に書き込まれる。
【００１３】
２４は画像表示メモリ、２６はＤ／Ａ変換器である。２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をオン／オフすることが可能であり、表示をオフにした場合には撮像装置１００の電力消費を大幅に低減することが出来る。
【００１４】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１５】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。３４は暗号・復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。
【００１６】
４０は絞り機能を備えるシャッタ１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はバリアである保護部材１０２の動作を制御するバリア制御部である。４８はフラッシュであり、ＡＦ補助光の投光機能、フラッシュ調光機能も有する。上記の露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００１７】
５０は撮像装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部である。この表示部５４は、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００１８】
上記表示部５４の表示内容のうち、ＬＣＤ等に表示するものとしては、例えば、単写／連写撮影表示、セルフタイマ表示、圧縮率表示、記録画素数表示を含む。また、記録枚数表示、残撮影可能枚数表示、シャッタスピード表示、絞り値表示、露出補正表示、フラッシュ表示、赤目緩和表示、マクロ撮影表示を含む。また、ブザー設定表示、時計用電池残量表示、電池残量表示、エラー表示、複数桁の数字による情報表示を含む。さらには、記録媒体２００の着脱状態表示、通信Ｉ／Ｆ動作表示、日付・時刻表示、外部コンピュータとの接続状態を示す表示、等を含む。
【００１９】
上記表示部５４の表示内容のうち、光学ファインダ１０４内に表示するものとしては、合焦表示、撮影準備完了表示、手振れ警告表示、フラッシュ充電表示、フラッシュ充電完了表示を含む。さらには、シャッタスピード表示、絞り値表示、露出補正表示、記録媒体書き込み動作表示、等を含む。また、表示部５４の表示内容のうち、ＬＥＤ等に表示するものとしては、合焦表示、撮影準備完了表示、手振れ警告表示、手振れ警告表示、フラッシュ充電表示を含む。さらには、フラッシュ充電完了表示、記録媒体書き込み動作表示、マクロ撮影設定通知表示、二次電池充電状態表示、等を含む。また、表示部５４の表示内容のうち、ランプ等に表示するものとしては、例えば、セルフタイマ通知ランプ、等がある。このセルフタイマ通知ランプは、ＡＦ補助光と共用しても良い。
【００２０】
５６は電気的に消去・記録可能な不揮発性メモリであり、例えばＥＥＰＲＯＭ、フラッシュメモリ等が用いられる。
【００２１】
次に、操作部材の具体的な説明を行う。
【００２２】
６０は電源スイッチ（メインスイッチ）であり、撮像装置１００の電源オン、電源オフの各モードを切り換え設定することが出来る。また、撮像装置１００に接続された各種付属装置の電源オン、電源オフの設定も合わせて切り換え設定することが出来る。  ６２はシャッタスイッチであり、不図示のシャッタボタンの操作途中でＳＷ１信号でオンとなる。このＳＷ１信号が、ＡＦ（オートフォーカス）処理、ＡＥ（自動露出）処理、ＡＷＢ（オートホワイトバランス）処理、ＥＦ（フラッシュプリ発光）処理等の動作開始の指示となる。
【００２３】
６４はシャッタスイッチであり、不図示のシャッタボタンの操作完了でＳＷ２信号がオンとなる。このＳＷ２信号が、撮像素子１２から読み出した信号をＡ／Ｄ変換器１６、メモリ制御回路２２を介してメモリ３０に画像データを書き込む露光処理の動作開始の指示となる。さらには、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という動作開始の指示となる。
【００２４】
７０は各種ボタンやタッチパネル等からなる操作部であり、メニューボタン、セットボタン、マクロボタン、マルチ画面再生改ページボタン、フラッシュ設定ボタン、単写／連写／セルフタイマ切り換えボタンを含む。また、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンを含む。また、画像表示オン／オフボタン、圧縮モードスイッチ、撮影直後に撮影した画像データを画像表示部２８を用いて自動再生表示するクイックレビュー機能を設定するクイックレビュースイッチを含む。また、撮影及び／或いは再生及び／或いは通信を実行する際に各種機能の選択及び切り換えを設定する選択／切り換えスイッチ、撮影及び／或いは再生及び／或いは通信を実行する際に各種機能の決定及び実行を設定する決定／実行スイッチを含む。
【００２５】
表示部５４には、背面液晶パネルの外部表示器と覗き込み型の内部表示器がある。そして、それぞれの表示先には、撮影情報の表示／非表示、ヒストグラムの表示／非表示、グリッドラインの表示／非表示の設定が可能で、表示先及び設定を切り換えるためのＤＩＳＰボタン等がある。
【００２６】
なお、圧縮モードスイッチは、ＪＰＥＧ（JointPhotographic Expert Gpoup）圧縮の圧縮率を選択するため、或いは撮像素子の信号をそのままデジタル化して記録媒体に記録するＣＣＤＲＡＷモードを選択するためのスイッチである。ＪＰＥＧ圧縮のモードは、例えばノーマルモードとファインモードが用意されている。撮像装置１００の利用者は、撮影した画像のデータサイズを重視する場合はノーマルモードを、撮影した画像の画質を重視する場合はファインモードを、それぞれ選択して撮影を行うことが出来る。
【００２７】
ＪＰＥＧ圧縮のモードにおいては、撮像素子１４から読み出されてＡ／Ｄ変換器１６、画像処理回路２０、メモリ制御回路２２を介して、メモリ３０に書き込まれた画像データを読み出す。そして、圧縮・伸長回路３２により設定した圧縮率に圧縮し、必要に応じて暗号・復号回路３４により所定の暗号化処理を行った後、記録媒体２００に記録を行う。ＣＣＤＲＡＷモードでは、撮像素子１４の色フィルタの画素配列に応じて、ライン毎にそのまま画像データを読み出す。そして、Ａ／Ｄ変換器１６、メモリ制御回路２２を介して、メモリ３０に書き込まれた画像データを読み出し、必要に応じて暗号・復号回路３４により所定の暗号化処理を行った後、記録媒体２００に記録を行う。
【００２８】
７２はモードダイアルスイッチであり、自動撮影モード、撮影モード、パノラマ撮影モード、再生モード、マルチ画面再生・消去モード、ＰＣ接続モード等の各機能モードを切り換え設定することが出来る。７５は縦位置検知センサであり、撮像装置１００の姿勢が縦位置、横位置であるかを検知することができる。
【００２９】
８０は電源制御部であり、電池検出回路、ＤＣ−ＤＣコンバータ、通電するブロックを切り換えるスイッチ回路等により構成されている。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３０】
８２はコネクタ、８４はコネクタである。８６は、アルカリ電池やリチウム電池等の一次電池やＮｉＣｄ電池やＮｉＭＨ電池、Ｌｉ−ｉオン電池等の二次電池、ＡＣアダプター等からなる電源部である。９０はメモリカードやハードディスク等の記録媒体とのインタフェース、９２はメモリカードやハードディスク等の記録媒体と接続を行うコネクタである。
【００３１】
１０２は、撮像装置１００のレンズ１０を含む撮像部を覆うことにより、撮像部の汚れや破損を防止するバリアである保護部材である。
【００３２】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００３３】
１１０は通信手段であり、ＴＤＭＡ（Time DivisionMultiple Access）方式やＣＤＭＡ（Code Division Multiple Access)方式、Ｗ−ＣＤＭＡ（Wideband CodeDivision Multiple Access）方式、ＰＨＳ（Personal Handyphone System）方式等の携帯電話通信機能を有する。
【００３４】
１１２はアンテナ（或いはコネクタ）であり、通信手段１１０により撮像装置１００を、パケット網、ネットワークを介して画像情報管理装置（画像ゲートウェイ）と接続する、更には、ネットワーク、インターネットを介して他の機器と接続する際のアンテナ或いは有線通信の場合はコネクタである。
【００３５】
１１４は通信手段であり、Bluetoothなどの無線通信機能を有する。また、通信手段１１４は、ＲＳ２３２ＣやＵＳＢ（UniversalSerial Bus）、ＩＥＥＥ（Institute of Electrical and Electronics Engineers）１３９４、Ｐ１２８４、ＳＣＳＩ（SmallComputer System Interface）、モデム、ＬＡＮ（Local Area Network）等の有線通信、ＩｒＤＡ（Infrared DataAssociation）などの赤外線通信、光通信等の各種通信機能を有する構成としても良い。
【００３６】
１１６はアンテナ（或いはコネクタ）であり、通信手段１１４により撮像装置１００を印刷装置（プリントサービス）等の他の機器と接続する際のアンテナ或いは有線通信の場合はコネクタである。
【００３７】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。なお、記録媒体２００は本実施例では撮像装置１００に内蔵される構成として説明している。
【００３８】
次に、上記構成の撮像装置１００の動作について、図２ないし図９を用いて説明する。
【００３９】
まず、図９のフローチャートを用いて、撮像装置１００のメイン動作について説明する。電池交換等の電源投入により、システム制御回路５０は、フラグや制御変数等を初期化すると共に、撮像装置１００各部の初期化処理を行う（Ｓ１００１）。次に、メインスイッチ６０の設定位置を判定し、メインスイッチ６０が電源オフに設定されていたならば（Ｓ１００２のＮＯ）、各表示部の表示を終了状態に変更する。また、フラグや制御変数等を含む必要なパラメータや設定値、設定モードを不揮発性メモリ５６に記録する。さらに、電源制御部８０により画像表示部２８を含む撮像装置１００各部の不要な電源を遮断する等の所定の終了処理を行う（Ｓ１００４）。そして、ステップＳ１００２に戻る。
【００４０】
また、メインスイッチ６０が電源オンに設定されていたならば（Ｓ１００２のＹＥＳ）、システム制御回路５０は、電源制御部８０により電池等により構成される電源部８６の残容量や動作情況が撮像装置１００の動作に問題があるか否かを判定する（Ｓ１００３）。その結果、問題があるならば（Ｓ１００３のＮＯ）、表示部５４及び或いは画像表示部２８を用いて画像や音声により所定の警告表示を行う（Ｓ１００６）。そして、ステップＳ１００２に戻る。一方、電源部８６に問題が無いならば（Ｓ１００３のＹＥＳ）、システム制御回路５０は、表示部５４を用いて画像や音声により撮像装置１００の各種設定状態の表示を行う（Ｓ１００５）。次に、画像表示部２８の画像表示がオンであるかを判定し、オンであれば（Ｓ１００７のＹＥＳ）、画像表示部２８も用いて画像や音声により撮像装置１００の各種設定状態の表示を行う（Ｓ１００８）。また、画像表示部２８の画像表示がオンでなければ直ちにステップＳ１００９に進む。
【００４１】
次に、システム制御回路５０は、モードダイアル７２の設定位置を判定し、モードダイアル７２が撮影モードに設定されていれば（Ｓ１００９のＹＥＳ）、撮影モードの処理を行う（Ｓ１０１０）。撮影モードの処理が終えるとステップＳ１００２に戻る。また、モードダイアル７２が再生モードに設定されていれば（Ｓ１００９のＮＯ）、再生モードの処理を行う（ステップＳ１０１１）。再生モードの処理が終えるとステップＳ１００２に戻る。
【００４２】
上記のように、撮像装置１００の利用者は、撮像装置１００を携帯して、撮影、再生、通信を随時行うことが可能であり、撮影した画像を解析し、その情報もとに通信処理をすることが可能である。
【００４３】
次に、図２ないし図８を用いて、上記撮影モードの処理中において行われる、ズーム切り換え時の動作について説明する。
【００４４】
先ず、図２のフローチャートを用いて、ズームモード切り換え時の動作について説明する。システム制御回路５０は、連続してズーム倍率を変更する電子ズームモードが設定されているか否かを判定する（Ｓ２０１）。なお、電子ズームモードの設定は、図１の操作部７０に含まれるメニューボタンにより、後述の図３や図４にて説明するようにして設定可能である。上記判定の結果、連続してズーム倍率を変更する電子ズームモードが設定されて場合は、ズーム制御部４４により、光学ズーム駆動を行い、更に連続して電子ズーム倍率を変更する（Ｓ２１０）。
【００４５】
また、連続してズーム倍率を変更する電子ズームモードでない場合は、システム制御回路５０は、電子ズーム倍率を固定する電子テレコンのモード設定の状態判定を行う（Ｓ２０２）。なお、電子テレコンモードの設定は、図１の操作部７０に含まれるメニューボタンにより、後述の図３や図４にて説明するようにして設定可能である。上記判定の結果、電子テレコンが設定されていない場合は、ズーム制御部４４により光学ズーム駆動のみにてズーム駆動を行う（Ｓ２１１）。
【００４６】
一方、電子テレコンが設定されている場合は、システム制御回路５０は、電子テレコンの倍率がＡかＢかを判定する（Ｓ２０３）。倍率Ａの場合は、電子ズームを倍率Ａに固定して、光学ズームのみ駆動する設定にする（Ｓ２１２）。また、倍率Ｂの場合は、電子ズーム倍率を倍率Ｂに固定して、光学ズームのみ駆動する設定にする（Ｓ２１３）。
【００４７】
なお、本実施例では、電子テレコンの倍率を、二つの固定された倍率（倍率Ａか倍率Ｂ）に切り換えることを可能にする例を述べているが、三つ以上の倍率を設定することも可能である。
【００４８】
図３は、図１の操作部７０に含まれるメニューボタンによりズームモード切り換え、つまりズームモードメニュー選択を行う一例を説明するための図である。本メニューでは、次の図３（ａ）から図３（ｄ）までのメニュー切り換えを可能にしている。図３（ａ）は電子ズームに光学ズームを組み合わせて連続して電子ズーム位置を変更できるモードであり、図３（ｂ）は電子ズームを禁止するモードである。図３（ｃ）は電子ズーム倍率を１．４倍に固定して光学ズームのみ駆動可能とし、図３（ｄ）は電子ズーム倍率を２．０倍に固定して光学ズームのみ駆動可能とするモードである。
【００４９】
このように、１つの項目の切り換えで、電子ズームに光学ズームを組み合わせて、あるいは、電子ズームのみで連続して電子ズーム位置を変更するモードと、電子ズームモードを禁止するモードと、電子ズーム倍率を固定するモードを選択可能にすることで、各モードの排他も実現することができる。
【００５０】
また、図４に示すメニュー構成にすることも考えられる。図４の構成は、電子ズームに光学ズームを組み合わせて、あるいは、電子ズームのみで連続して電子ズーム倍率を変更するモードの有効／無効の設定と、電子ズーム倍率を固定するモードを無効及び有効、および、有効時の倍率の設定を、個別に設定可能とする例である。
【００５１】
図４（ａ）にように、連続して電子ズーム倍率を変更するモードを有効にすると、電子ズーム倍率を固定するモードは無効になる。図４（ｂ）のように、電子ズーム倍率を固定するモードを有効にすると、連続して電子ズーム倍率を変更するモードが無効になる。このような方法で二つの電子ズームモードを排他することも可能である。
【００５２】
なお、本実施例では、メニューによる切り換えについて説明したが、それぞれの電子ズーム設定をボタンで切り換えることも可能である。さらに、一方の設定をメニューで行い、他方の設定をボタンで行うことも可能である。例えば、連続して電子ズーム倍率を変更するモードの有効／無効をメニューで行い、電子ズーム倍率を固定するモードをボタン切り換えで行う、というように二つのモード切り換えを簡便にする構成も考えられる。
【００５３】
図５は本実施例における電子ズームまたは電子テレコン時の動作を示すフローチャートである。まず、システム制御回路５０は、不図示のズームレバーがテレまたはワイドのいずれかに押下されたかを判定する（Ｓ５０１）。その結果、ズームレバーが押下された状態ならば、次にズームの設定が電子テレコンか否かを判定する（Ｓ５０２）。電子テレコンでない場合は、ズーム制御部４４によりズーム駆動を行う（光学ズーム駆動）（Ｓ５１５）。
【００５４】
一方、電子テレコンである場合、システム制御回路５０は、デジタル領域か否かを判定する（Ｓ５０３）。デジタル領域でない場合、光学ズーム駆動をズームレバーに応じて行う（Ｓ５１５）。例えばズームレバーにてテレ方向が押下されている場合は、被写体を拡大する方向にズーム制御部４４によりズーム駆動する（光学ズーム駆動）。また、ズームレバーにてワイド方向が押下されている場合は、画角が広くなる方向にズーム制御部４４によりズーム駆動を行う（光学ズーム駆動）。
【００５５】
デジタル領域であった場合、システム制御回路５０は、電子ズーム（デジタルズーム）駆動を行う（Ｓ５０４）。例えばズームレバーにてテレ方向が押下されている場合は、電子ズーム倍率を増加させる。ズームレバーにてワイド方向が押下されている場合は、電子ズーム倍率を低下させる。
【００５６】
ズーム駆動中にズームレバーが離された場合、システム制御回路５０は、ズーム駆動を停止する（Ｓ５１１）。
【００５７】
図６は、電子テレコンの設定復帰時の動作を示すフローチャートである。電源制御部８０を介して撮像用の電源が投入される（Ｓ６０１）と、システム制御回路５０は、電子テレコンの設定がなされているか否かを判定する（Ｓ６０２）。その結果、電子テレコンの設定がなされている場合は、不揮発性メモリ５６から電子ズーム倍率を取得し、電子ズーム駆動モジュールに倍率を設定する（Ｓ６０３）。電子テレコンの設定がなされていなければ、ステップＳ６０３の動作を行わない。
【００５８】
なお、撮像用の電源を入れる動作以外に、鏡筒沈胴操作、撮影モード変更、再生モード遷移、ＰＣモード遷移、プリントモード遷移時の制御も同様である。
【００５９】
図７は、電子ズーム位置に応じたテレコン倍率、切り出しサイズをまとめた図、および、記録画素設定と画質劣化しないズーム位置をまとめた図である。
【００６０】
先ず、図７（ａ）について説明する。図７（ａ）は、電子ズーム位置に応じたテレコン倍率、切り出しサイズをまとめた一例である。連続してズーム位置を変更できる電子ズームモードでは、光学テレ端から更にズームレバー操作を行うと電子ズーム位置１〜６の位置に移動する。電子ズーム位置を固定する電子テレコンモードでは、Ｌ版プリントサイズの画質を保持できる２Ｍサイズを上限に、０（１０Ｍサイズ），１（５Ｍサイズ），２（３Ｍサイズ），３（２Ｍサイズ）の電子ズーム位置を選択することができる。
【００６１】
このように、電子ズームモードと電子テレコンモードで同一の電子ズーム位置を使用することで、２つの電子ズーム状態を容易に実現することができる。
【００６２】
次に、図７（ｂ）について説明する。図７（ｂ）は、記録画素設定と画質劣化しないズーム位置をまとめた一例である。例えば、記録画素数Ｌを選択した場合、電子ズーム領域に入ったら画質が劣化しないように補間処理を行う。記録画素数Ｍ３を選択した場合、ズーム位置３まで画質劣化せずに撮影できる。連続してズーム位置を変更できる電子ズームモードでは、光学倍率×２．３倍のズーム倍率で被写体に寄ることができる。
【００６３】
図８は、電子ズーム位置を固定する電子テレコンモードにおける表示部５４での表示の一例を示すものである。
【００６４】
電子テレコンモードを示すアイコン（Ｔ）と電子ズーム倍率を示す文字列（１．４ｘ）を、表示部５４に表示する。また、テレコンモードを示すアイコンと電子ズーム倍率は、画質劣化する領域か否かで表示色を変更する。例えば１．４倍設定のとき、記録画素数Ｌ及びＭ１では画質劣化を警告する表示色で表示し、それ以外の記録画素数では画質劣化が発生しない表示色で表示する。なお、電子テレコンモードを示すアイコンは文字列で示す方法や、電子ズーム倍率の表示形態を変更する方法などが考えられる。電子ズーム倍率に関しては、数値以外にも倍率が分かるアイコンや色で表現する方法が考えられる。
【００６５】
上記の実施例によれば、連続してズーム位置を変更できる電子ズームモードと、電子ズーム位置を固定して光学ズーム位置を変更する電子テレコンモードを切り換え可能にしている。さらに、以下のような構成にしている。
（１）電子テレコンモードでの電子ズーム倍率を、複数（実施例では、倍率Ａ、倍率Ｂ）設定可能にしている。
（２）電子テレコンモードでの電子ズーム倍率を、電子ズームモードの電子ズーム位置の１つ（図７参照）としている。
（３）電子テレコンモードでは、電子ズーム倍率が固定であることを表示するようにしている。
（４）画質劣化が生じる電子ズーム位置では、電子ズームの表示を変更する（赤色表示とする）ようにしている。
（５）電子テレコンモードは、電子ズーム状態を解除する状態に遷移した後、電子ズーム状態へ復帰可能になったとき、記憶している電子ズーム位置に設定するようにしている。
（６）上記電子ズーム状態を解除する条件が、撮像用の電源を切断するとき、あるいは、鏡筒を格納処理とき、あるいは、撮像用の電源が再投入されたときである。
（７）電子ズーム状態を解除及び復帰する条件が、撮影モード変更時としている。
（８）電子ズームの倍率が、プリント画質に耐えうる倍率、あるいは、出力装置の解像度に好適な倍率としている。
【００６６】
以上のような構成にしたことにより、高機能化・コンパクト化が進むコンパクトな撮像装置において、様々なユーザーニーズに対応したズーム倍率の選択が可能となる。例えば、電子テレコンモードにおいては、光学ズームの開放絞りが明るい状態で電子ズーム倍率を活用することで、被写体に寄った状態でかつ高速側のシャッタ速度で撮影することが可能となる。
【図面の簡単な説明】
【００６７】
【図１】本発明の一実施例に係る撮像装置の回路構成を示すブロック図である。
【図２】本発明の一実施例における電子ズームモード切り換え時の動作を示すフローチャートである
【図３】本発明の一実施例における電子ズームモード切り換えメニュー選択の仕方の一例を説明するための図である。
【図４】本発明の一実施例における電子ズームモード切り換えメニュー選択の仕方の他の例を説明するための図である。
【図５】本発明の一実施例における電子ズーム及び電子テレコン時の動作を示すフローチャートである。
【図６】本発明の一実施例における電子テレコンの設定復帰時の動作を示すフローチャートである。
【図７】本発明の一実施例における電子ズーム位置に応じたテレコン倍率、切り出しサイズ、および、記録画素設定と画質劣化しないズーム位置の一例を示す図である。
【図８】本発明の一実施例における電子テレコンモードの撮影情報表示例を示す図である。
【図９】本発明の一実施例に係る撮像装置のメイン動作を示すフローチャートである。
【符号の説明】
【００６８】
１０    撮影レンズ
１４    撮像素子
２０    画像処理回路
２２    メモリ制御回路
２４    画像表示メモリ
２８    画像表示部
４０    露光制御部
４４    ズーム制御部
５０    システム制御回路
【図１】
2008042296.tif 000003
【図２】
2008042296.tif 000004
【図３】
2008042296.tif 000005
【図４】
2008042296.tif 000006
【図５】
2008042296.tif 000007
【図６】
2008042296.tif 000008
【図７】
2008042296.tif 000009
【図８】
2008042296.tif 000010
【図９】
2008042296.tif 000011